(57)【要約】 【課題】本発明においては、洗浄、殺菌・消毒効果の高いラジカル機能液の製造方法を提供するとともに、当該ラジカル機能液の製造方法を処理対象物の洗浄工程に適用したラジカル機能液を用いた浄化方法を提供することを目的とする。【解決手段】少なくとも１種類のガス状のプラズマを含む２種類以上のガスを、溶媒Ｗに対して吹き込むことにより、少なくとも前記プラズマ中のラジカルを前記溶媒Ｗに対して溶解させてラジカル機能液とすることを特徴とするラジカル機能液の製造方法およびこのラジカル機能液を用いた浄化方法。【選択図】  図１
2016203082.tif 000002
【特許請求の範囲】
【請求項１】
少なくとも１種類のガス状のプラズマを含む２種類以上のガスを、溶媒に対して吹き込むことにより、少なくとも前記プラズマ中のラジカルを前記溶媒に対して溶解させてラジカル機能液とすることを特徴とするラジカル機能液の製造方法。
【請求項２】
前記２種類以上のガスのうち、前記ガス状のプラズマ状態にないガスの少なくとも１種類がマイクロバブルとされて溶解されていることを特徴とする請求項１に記載のラジカル機能液の製造方法。
【請求項３】
前記溶媒が、水、超純水、イオン交換水、蒸留水、有機溶剤、酸性溶液またはアルカリ性溶液のうち１種または複数種であることを特徴とする請求項１または２に記載のラジカル機能液の製造方法。
【請求項４】
処理対象物が分散または浸漬された溶媒に対して、少なくとも１種類のガス状のプラズマを含む２種類以上のガスを吹き込むことにより、少なくとも前記プラズマ中のラジカルを前記溶媒に対して溶解させて前記溶媒をラジカル機能液とすることにより、前記処理対象物を洗浄、殺菌・消毒することを特徴とするラジカル機能液を用いた浄化方法。
【請求項５】
前記２種類以上のガスのうち、前記ガス状のプラズマ状態にないガスの少なくとも１種類がマイクロバブルとされて溶解されており、前記処理対象物もしくは前記処理対象物に付着した汚れに前記マイクロバブルを吸着させて浮かせる、前記マイクロバブルがはじける際に生じる超音波によって前記処理対象物もしくは前記処理対象物に着した汚れを破壊・剥離させる、または、前記マイクロバブルが前記処理対象物の隙間に侵入して前記隙間にある汚れを浮かせるようにして前記処理対象物を浄化することを特徴とする請求項４に記載のラジカル機能液を用いた浄化方法。
【発明の詳細な説明】
【技術分野】
【０００１】
本発明は、溶媒に対して、少なくともプラズマを含む２種類以上のガスを溶解させて前記プラズマ中のラジカルを含むラジカル機能液とさらにマイクロバブルを溶解させた洗浄力に優れたラジカル機能液を製造する方法およびこのラジカル機能液を用いた浄化方法に関する。
【背景技術】
【０００２】
従来、プラズマを利用して対象物を洗浄、殺菌・消毒する方法が広く知られている。具体的には、プラズマ生成用ガスとしての酸素ガスや水素ガスまたは水蒸気などを放電領域に導入して生成したプラズマを、処理対象物に直接照射することによって処理対象物の表面に付着した細菌や微生物などの有機物にプラズマ中のラジカルを接触させて殺菌するようにされていた。
【０００３】
この他にも、特許文献１には、マグネティック・スターラーによって攪拌されている超純水、イオン交換水、精製水または蒸留水などに対して、希ガスから生成されたプラズマを照射することにより、液中の活性酸素量を増大させた機能水を製造し、当該機能水によって消毒・殺菌を行うことが開示されている。特に、このようにプラズマを照射することによって消毒・殺菌効果のある機能水の製造方法を、汚水の浄化処理工程に適用することで汚水を直接消毒・殺菌することが開示されている。
【先行技術文献】
【特許文献】
【０００４】
【特許文献１】特開２００９−１８３８６７号公報
【発明の概要】
【発明が解決しようとする課題】
【０００５】
しかしながら、特許文献１に記載の機能水の製造方法においては、容器に貯留された液体の液面に対してプラズマを照射するようにして機能水を製造する方法であり、マグネティック・スターラーによって液体を攪拌してはいるものの、液中の活性酸素量を増大させるには長い時間を要している。
【０００６】
このような、特許文献１に記載の機能水の製造方法を汚水の浄化処理工程に適用しても、汚水を高速に大量に処理することが難しいという課題を有していた。
【０００７】
そこで、本発明においては、複数種類のラジカルを溶解させて殺菌・消毒効果を向上させたラジカル機能液およびマイクロバブルを溶解させてより洗浄力を向上させたラジカル機能液の製造方法を提供することを目的とする。そして、さらに、当該ラジカル機能液の製造方法を処理対象物の洗浄工程に適用したラジカル機能液を用いた浄化方法を提供することを目的とする。
【課題を解決するための手段】
【０００８】
上記目的を達成するべく、本発明の第１の態様のラジカル機能液の製造方法は、少なくとも１種類のガス状のプラズマを含む２種類以上のガスを、溶媒に対して吹き込むことにより、少なくとも前記プラズマ中のラジカルを溶媒に対して溶解させてラジカル機能液とすることを特徴とする。
【０００９】
このような、本発明の第１の態様のラジカル機能液の製造方法においては、ラジカルを多量に含むラジカル機能液を高速にかつ安全に製造することを可能とする。
【００１０】
本発明の第２の態様のラジカル機能液の製造方法は、前記２種類以上のガスのうち、前記ガス状のプラズマ状態にないガスの少なくとも１種類がマイクロバブルとされて溶解されていることを特徴とする。
【００１１】
このような、本発明の第２の態様のラジカル機能液の製造方法においては、マイクロバブルの吸着効果やマイクロバブルがはじける際に生じる超音波によって汚れを剥がすので、極めて、洗浄力に優れたラジカル機能液を提供することを可能とする。
【００１２】
本発明の第３の態様のラジカル機能液の製造方法は、前記溶媒が、水、超純水、イオン交換水、蒸留水、有機溶剤、酸性溶液またはアルカリ性溶液のうち１種または複数種であることを特徴とする。
【００１３】
このような、本発明の第３の態様のラジカル機能液の製造方法においては、溶媒を処理対象物に応じて適宜選択することにより、様々な汚れの洗浄や細菌・ウイルスなどを殺菌・消毒を行うことができるラジカル機能液を提供することができる。
【００１４】
本発明の第１の態様のラジカル機能液を用いた浄化方法は、処理対象物が分散または浸漬された溶媒に対して、少なくとも１種類のガス状のプラズマを含む２種類以上のガスを吹き込むことにより、少なくとも前記プラズマ中のラジカルを前記溶媒に対して溶解させて前記溶媒をラジカル機能液とすることにより、前記処理対象物を洗浄、殺菌・消毒することを特徴とする。
【００１５】
このような、本発明の第１の態様のラジカル機能液を用いた浄化方法においては、例えば、汚水の浄化に適用する場合には、溶媒としての水中に浮遊する処理対象物としての細菌・ウイルスやその他の有機物を水に溶解させたラジカルによって分解し、殺菌・消毒することによって極めて高速に浄化させることができる。この他にも、溶媒としての水中に処理対象物としての物体を浸漬させて、水に溶解させたラジカルによって当該物体の表面に付着した汚れを分解し、洗浄、殺菌・消毒することで極めて高速に物体の浄化を行うことができる。
【００１６】
本発明の第２の態様のラジカル機能液を用いた浄化方法は、前記２種類以上のガスのうち、前記ガス状のプラズマ状態にないガスの少なくとも１種類がマイクロバブルとされて溶解されており、前記処理対象物もしくは前記処理対象物に付着した汚れに前記マイクロバブルを吸着させて浮かせる、前記マイクロバブルがはじける際に生じる超音波によって前記処理対象物もしくは前記処理対象物に着した汚れを破壊・剥離させる、または、前記マイクロバブルが前記処理対象物の隙間に侵入して前記隙間にある汚れを浮かせるようにして前記処理対象物を浄化することを特徴とする。
【００１７】
このような、本発明の第２の態様のラジカル機能液を用いた浄化方法においては、マイクロバブルを溶解せたラジカル機能液とすることにより、処理対象物もしくは処理対象物に付着した汚れをマイクロバブルによって浮かせるもしくは破壊・剥離させた後、速やかに、ラジカルによって分解されるので、高速に汚れを洗浄することを可能とするとともに、汚れが再付着することを抑制することができる。
【発明の効果】
【００１８】
本発明のラジカル機能液の製造方法においては、複数種類のラジカルを溶解させて殺菌・消毒効果を向上させたラジカル機能液を提供することができる。
【００１９】
また、マイクロバブルを溶解させることにより、洗浄力に優れたラジカル機能液を提供することができる。
【００２０】
さらに、本発明のラジカル機能液を用いた浄化方法においては、溶媒に分散または浸漬された処理対象物を高速に洗浄、殺菌・消毒して浄化することを可能とする。
【図面の簡単な説明】
【００２１】
【図１】本発明のラジカル機能液製造装置の第１の実施形態を示す図
【図２】本発明のラジカル機能液製造装置の第２の実施形態を示す図
【図３】本発明のラジカル機能液製造装置の第３の実施形態を示す図
【図４】本発明の浄化装置の実施形態を示す図
【図５】実施例のプラズマのバブリング時間と残存菌数の関係を示す図
【発明を実施するための形態】
【００２２】
本発明のラジカル機能液製造方法およびラジカル機能液を用いた浄化方法の具体的な実施形態を以下に詳しく説明する。
【００２３】
本発明のラジカル機能液の製造方法は、溶媒に対して、少なくとも１種類のガス状のプラズマを含む２種類以上のガスを吹き込むことにより、少なくともプラズマ中のラジカルを溶媒に溶解させてラジカル機能液とするものである。なお、溶媒に吹き込むガスは、予めガス同士を混合して混合ガスとしてから溶媒に吹き込んで溶解させても、各ガスをそれぞれ別々に溶媒に吹き込んで溶解させるようにしてもよい。
【００２４】
溶媒に対して吹き込む前述の２種類以上のガスは、少なくとも１種類がガス状のプラズマとされていればよいので、例えば、下記のようにプラズマとプラズマ状態にないガスとを組み合わせることができる。なお、「＋」で区切られたガスはそれぞれ別々に溶媒に対して吹き込むことを意味する。
１．第１のプラズマ＋第２のプラズマ
２．プラズマ＋プラズマ状態にないガス
３．第１のプラズマとプラズマ状態にないガスとを予め混合したガス＋第２のプラズマ
４．プラズマと第１のプラズマ状態にないガスとを予め混合したガス＋第２のプラズマ状態にないガス
５．第１のプラズマと第１のプラズマ状態にないガスとを予め混合したガス＋第２のプラズマと第２のプラズマ状態にないガスとを予め混合したガス
【００２５】
プラズマとしては、製造したラジカル機能液の用途によって様々なものを適宜選択することができるが、例えば、ヘリウムガス、アルゴンガス、酸素ガス、二酸化炭素ガス、水素ガス、窒素ガス、アンモニアガスまたは空気などをプラズマ化したものを用いることができる。特に、洗浄効果を期待する場合には、アンモニアから生成されたプラズマ、殺菌・消毒効果を期待する場合には、酸素ガス、二酸化炭素ガス、窒素ガスから生成されたプラズマを用いることが好ましい。
【００２６】
また、プラズマ状態にないガスとしては、空気、二酸化炭素ガス、酸素ガス、水素ガス、窒素ガスなどを用いることができる。
【００２７】
溶媒としては、水、超純水、イオン交換水、蒸留水、有機溶剤、酸性溶液またはアルカリ性溶液のうち１種または複数種を適宜選択して用いることができる。
【００２８】
この他にも、予め、溶媒に対して、溶質としての食塩、ホウ酸、多糖類、洗浄剤またはポリマーなどを溶解させおくことにより、当該溶質と吹き込まれたプラズマに起因するラジカルとが反応して洗浄・殺菌力に優れた物質を形成し、さらに洗浄力、殺菌・消毒作用に優れたラジカル機能液を得ることができる。
【００２９】
また、本発明のラジカル機能液の製造方法においては、溶媒に対して、上記のプラズマ状態にないガスをマイクロバブルとして溶解させることが重要である。つまり、上記の溶媒に吹き込む少なくとも１種類のガス状のプラズマを含む２種類以上のガスの組み合わせの態様の他に、下記のような態様を選択することもできる。なお、「＋」で区切られたガスはそれぞれ別々に溶媒に対して吹き込むことを意味する。
６．プラズマ＋プラズマ状態にないガスを用いたマイクロバブル
７．プラズマと第１のプラズマ状態にないガスとを予め混合したガス＋第２のプラズマ状態にないガスを用いたマイクロバブル
【００３０】
このようにして、マイクロバブルを溶解させたラジカル機能液とすることにより、処理対象物もしくは処理対象物に付着した汚れにマイクロバブルを吸着させて浮かせる、マイクロバブルがはじける際に生じる超音波によって処理対象物もしくは処理対象物に付着した汚れを破壊・剥離させる、または、マイクロバブルが処理対象物の隙間に侵入して当該隙間にある汚れを浮かせるようにして処理対象物を浄化することで、極めて高速かつ洗浄力に優れたラジカル機能液を提供することができる。また、本発明のラジカル機能液においては、マイクロバブルによって浮かせるもしくは破壊された汚れを、ラジカルによって分解するようにされているので、一旦取り除かれた汚れが再付着することを抑制することができる。なお、マイクロバブルは、周知のマイクロバブル発生器を適用して発生させることができる。
【００３１】
このような、本発明のラジカル機能液の製造には、図１乃至図３に示すような製造装置を用いて製造することができる。
【００３２】
ラジカル機能液の製造装置１の第１の態様は、図１に示すように、溶媒Ｗを貯留するための貯留部２と、プラズマ生成用ガスに放電を生じさせて第１のプラズマまたは第２のプラズマをそれぞれ発生させるプラズマ源Ｐ１，Ｐ２と、貯留部２の側壁の一部に設けられ溶媒Ｗ内に第１のプラズマと第２のプラズマとをそれぞれ別々に吹き込むためのプラズマ導入部３ｐ１，３ｐ２とを備えている。なお、貯留部２には、蓋などを設けて閉鎖的な空間としてもよいし、プールなどのような大容量の貯留部２とする場合には、覆いをせずに開放的な空間としてもよい。
【００３３】
貯留部２とプラズマ導入部３ｐ１，３ｐ２との接続部分には、貯留部２内に貯留されている溶媒Ｗが逆流するのを防ぐとともに、プラズマ導入部３ｐ１，３ｐ２側からのガスを貯留部２内に気泡状態で導入するための複数の通気口４ａが形成された仕切り板４が設けられている（図１（ｂ））。
【００３４】
本実施形態においては、プラズマ源Ｐ１，Ｐ２としてマルチガスプラズマジェット（株式会社プラズマコンセプト東京社製）を用い、プラズマ導入部３ｐ１，３ｐ２には、プラズマ源Ｐ１，Ｐ２の噴射口が接続されており、マルチガスプラズマジェットの噴射口から噴出されたプラズマを直接、溶媒Ｗ内に吹き込むように形成されている。
【００３５】
なお、溶媒Ｗに対してプラズマ生成に起因する電流を流したくない場合には、プラズマ導入部３ｐ１，３ｐ２とプラズマ源Ｐ１，Ｐ２との間に間隙を設ける、もしくは、プラズマ源Ｐ１，Ｐ２において、放電を発生させる電極の向きがプラズマ生成用ガスの流れ方向に対して平行に配置されている場合には、プラズマ生成用ガスの流れ方向における下流側の電極の電位が溶媒Ｗの電位と同電位（多くの場合には接地電位とすることが好ましい。）となるように形成することで溶媒Ｗに対して電流が流れることを抑制することができる。また、プラズマ源Ｐ１，Ｐ２において、放電を発生させる電極の向きをプラズマ生成用ガスの流れ方向に対して垂直に配置し、プラズマ生成用ガスの流れ方向に対して垂直に電位が生じるように形成することで溶媒Ｗへ電流が流れることを抑制することができる。この他にも、プラズマ源Ｐ１，Ｐ２として大気圧誘導結合プラズマを用いることにより、磁束の変化によってプラズマを生成することにより、溶媒Ｗに対して電流が流れることを抑制することができる。なお、大気圧誘導結合プラズマを用いる場合には、誘導コイルとプラズマトーチとの間に、導電体からなる円環を配置し、寄生容量によるプラズマ電位の上昇を除去する機構を設けるとさらによい。
【００３６】
また、貯留部２のプラズマ導入部３ｐ１，３ｐ２が形成されている部分には、それぞれ回転数が制御可能な回転体５を設けることができる。当該回転体５は溶媒Ｗ内において所定の回転数にて回転しており、プラズマ導入部３ｐ１，３ｐ２から導入され、回転体５の近傍に生じた第１のプラズマおよび第２のプラズマの気泡に対して溶媒Ｗとの相対運動によって剪断力を加えて、第１のプラズマおよび第２のプラズマの気泡を強制的に分割してさらに微小な径の気泡とし、溶媒Ｗに対する第１のプラズマおよび第２のプラズマの溶解度を向上させてることで、より殺菌・消毒効果の高いラジカル機能液を提供することができる。このとき、回転体５の回転数を制御することによって気泡の径を調整し、プラズマの溶解度を適宜調整することができる。
【００３７】
第１の態様のラジカル機能液の製造装置１を用いた本発明のラジカル機能液の製造方法は下記の通りである。まず、プラズマ源Ｐ１，Ｐ２としてのマルチガスプラズマジェットに所望のプラズマ生成用ガスを導入し、当該プラズマ生成用ガスに放電することにより第１のプラズマおよび第２のプラズマをそれぞれ生成する。生成されたガス状の第１のプラズマおよび第２のプラズマをプラズマ生成用ガスのガス流によってプラズマ源Ｐ１，Ｐ２の噴射口から噴射してプラズマ導入部３ｐ１，３ｐ２から溶媒Ｗに対してそれぞれ別々に吹き込み、第１のプラズマおよび第２のプラズマに起因するラジカルを溶媒Ｗに溶解させる。この時、溶媒Ｗ内に吹き込まれたガス状の第１のプラズマおよび第２のプラズマは、気泡となって溶媒Ｗ内に導入されており、貯留部２のプラズマ導入部３ｐ１，３ｐ２にそれぞれ設けられた回転体５を所定の回転数にて回転させることによって、この気泡の直径をさらに小径な気泡とすることし、ラジカルをより効率よく溶解させることができる。
【００３８】
第１の態様におけるラジカル機能液の製造装置１を用いて製造されたラジカル機能液によれば、２種類の異なるプラズマを溶媒Ｗに対してそれぞれ別々に吹き込むようにされているので、例えば、第１のプラズマとして還元力のあるラジカルを含むプラズマ、第２のプラズマとして酸化力のあるラジカルを含むプラズマとすることにより、酸化処理と還元処理とを同時に行うことができるラジカル機能液を提供することができる。また、それぞれ成分の異なる第１のプラズマに起因するラジカルと第２のプラズマに起因するラジカルとが溶媒Ｗ中において反応し、新たなラジカルや副生成物、また、反応の際に生じるエネルギーなどによって極めて特異な処理や、効果的な洗浄、殺菌・消毒効果などを得ることができるラジカル機能液を提供することができる。具体的には、水素プラズマと酸素プラズマとをそれぞれ別々に溶媒Ｗに対して吹き込むことにより、溶媒Ｗ中において活性水素と活性酸素とが結合し、この時に放出された結合エネルギーによって強力な殺菌効果を有するラジカル機能液を提供することができる。
【００３９】
ラジカル機能液の製造装置１の第２の態様は、図２に示すように、溶媒Ｗを貯留するための貯留部２と、プラズマ生成用ガスに放電を生じさせてプラズマを発生させるプラズマ源Ｐと、貯留部２の側壁の一部に設けられ溶媒Ｗ内にプラズマを吹き込むためのプラズマ導入部３ｐと、プラズマ状態にないガスを供給するガス供給部７と、貯留部２の側壁の一部に設けられ溶媒Ｗ内にプラズマ状態にないガスを吹き込むためのガス導入部３ｇとを備えている。
【００４０】
プラズマ源Ｐとしては、マルチガスプラズマジェット（株式会社プラズマコンセプト東京社製）を用い、プラズマ導入部３ｐには、プラズマ源Ｐの噴射口が接続されており、マルチガスプラズマジェットの噴射口から噴出されたプラズマを直接、溶媒Ｗ内に吹き込むように形成されている。
【００４１】
なお、第１の態様と同様に、貯留部２のプラズマ導入部３ｐが形成されている部分に対して回転体５を設けて、プラズマ源Ｐから吹き込まれたプラズマの気泡を当該回転体５の回転によって生じる剪断力によって強制的に分割してさらに小径な気泡とし、プラズマに起因するラジカルの溶解度を向上させるようにすることが好ましい。
【００４２】
また、溶媒Ｗに対してプラズマ生成に起因する電流を流したくない場合には、第１の態様において説明したように、プラズマ導入部３ｐとプラズマ源Ｐとの間に間隙を設ける、もしくは、プラズマ源Ｐにおいて、放電を発生させる電極の向きがプラズマ生成用ガスの流れ方向に対して平行に配置されている場合には、プラズマ生成用ガスの流れ方向における下流側の電極の電位が溶媒Ｗの電位と同電位（多くの場合には接地電位とすることが好ましい。）となるように形成することで溶媒Ｗに対して電流が流れることを抑制することができる。また、プラズマ源Ｐにおいて、放電を発生させる電極の向きをプラズマ生成用ガスの流れ方向に対して垂直に配置し、プラズマ生成用ガスの流れ方向に対して垂直に電位が生じるように形成することで溶媒Ｗへ電流が流れることを抑制することができる。さらに、プラズマ源Ｐとして大気圧誘導結合プラズマを用いることにより、磁束の変化によってプラズマを生成することにより、溶媒Ｗに対して電流が流れることを抑制することができる。なお、大気圧誘導結合プラズマを用いる場合には、誘導コイルとプラズマトーチとの間に、導電体からなる円環を配置し、寄生容量によるプラズマ電位の上昇を除去する機構を設けるとさらによい。
【００４３】
また、ガス供給部７とガス導入部３ｇとの間には、ガス供給部７から導入されるプラズマ状態にないガスと、貯留部２に設けられた溶媒取り込み口６ａから取り込んだ溶媒２とからマイクロバブルを発生させるマイクロバブル発生器６が設けられている。マイクロバブル発生器６において発生したマイクロバブルはガス導入部３ｇを介して溶媒Ｗに対して溶解させるように形成されている。なお、マイクロバブル発生器６は必要に応じてＯＮ／ＯＦＦを切り替えることが可能であり、マイクロバブルを溶解させないラジカル機能液を製造する場合にはマイクロバブル発生器６をＯＦＦの状態とし、ガス供給部７からプラズマ状態にないガスをマイクロバブルとしないで溶媒Ｗに吹き込んで溶解させてもよい。
【００４４】
第２の態様のラジカル機能液の製造装置１を用いた本発明のラジカル機能液の製造方法は下記の通りである。まず、プラズマ源Ｐとしてのマルチガスプラズマジェットに所望のプラズマ生成用ガスを導入し、当該プラズマ生成用ガスに放電することによりプラズマを生成する。生成されたガス状のプラズマをプラズマ生成用ガスのガス流によってプラズマ源Ｐの噴射口から噴射してプラズマ導入部３ｐから溶媒Ｗに対して吹き込み、プラズマに起因するラジカルを溶媒Ｗに溶解させる。この時、溶媒Ｗ内に吹き込まれたガス状のプラズマは、気泡となって溶媒Ｗ内に導入されており、貯留部２のプラズマ導入部３ｐに設けられた回転体５を所定の回転数にて回転させることによって、この気泡の直径をさらに小径な気泡とし、ラジカルをより効率よく溶解させることができる。
【００４５】
同時に、マイクロバブルを溶解させたラジカル機能液を製造する場合には、マイクロバブル発生器６をＯＮの状態とし、ガス供給部７からプラズマ状態にないガスを導入するとともに、溶媒取り込み口６ａから貯留部２内の溶媒Ｗを取り込んでマイクロバブルを発生させ、ガス導入部３ｇから当該マイクロバブルを導入して溶媒Ｗに対してマイクロバブルを溶解させる。なお、マイクロバブルを溶解させないラジカル機能液を製造する場合には、マイクロバブル発生器６をＯＦＦの状態として、溶媒Ｗに対してプラズマ状態にないガスをマイクロバブルとしないで吹き込み溶解させる。
【００４６】
第２の態様におけるラジカル機能液の製造装置１を用いて製造されたラジカル機能液によれば、溶媒Ｗに対して、プラズマに起因するラジカルとマイクロバブルとが溶解されているので、ラジカルによる殺菌・消毒効果と、マイクロバブルの吸着作用、バブルがはじける際に生じる超音波による衝撃波、および細部への侵入作用によって、優れた洗浄力を有するラジカル機能液を提供することができる。
【００４７】
また、ガス供給部７から供給するプラズマ状態にないガスを適宜選択することによって、プラズマ中のラジカルが溶解することによって大きく変化した溶媒ＷのｐＨ値をプラズマ状態にないガスを溶解させることで中和するなどして調整したり、溶媒ＷのｐＨ値をラジカルが長時間維持されるのに適正な値とすることで、汎用性と洗浄力の持続性とに優れたラジカル機能液を提供することができる。このガスを溶解させることによる溶媒Ｗの調整効果は、プラズマ状態にないガスをマイクロバブルとしない場合にも得られるが、マイクロバブル化することにより、当該プラズマ状態にないガスからなる気泡を溶媒Ｗ中に長期間存在させることができるので、溶媒Ｗの調整効果も長期間に亘って発現し続けることができる。
【００４８】
ラジカル機能液の製造装置１の第３の態様は、図３に示すように、溶媒Ｗを貯留するための貯留部２と、貯留部２の側壁の一部に設けられ溶媒Ｗ内にガス状のプラズマを吹き込むためのプラズマ導入部３ｐと、プラズマ生成用ガスに放電を生じさせてプラズマを発生させるプラズマ源Ｐと、プラズマ源Ｐの噴射口とプラズマ導入部３ｐとを接続するガス導入管３ａと、ガス導入管３ａ内へプラズマ状態にないガスを供給するガス供給部７とを備えている。なお、貯留部２には、蓋などを設けて閉鎖的な空間としてもよいし、プールなどのような大容量の貯留部２とする場合には、覆いをせずに開放的な空間としてもよい。
【００４９】
貯留部２とプラズマ導入部３ｐとの接続部分には、貯留部２内に貯留されている溶媒Ｗがプラズマ導入部３ｐに侵入するのを防ぐとともに、プラズマ導入部３ｐ側からのガスを貯留部２内に気泡状態で導入するための複数の通気口４ａが形成された仕切り板４が設けられている（図１（ｂ））。
【００５０】
本実施形態においては、プラズマ源Ｐとしてマルチガスプラズマジェット（株式会社プラズマコンセプト東京社製）を用い、プラズマ源Ｐの噴射口から噴出されたプラズマをガス導入管３ａを介して導入し溶媒Ｗ内にプラズマを吹き込むように形成されている。
【００５１】
さらに、ガス導入管３ａは、図３に示すように、Ｙ字状に形成されており、二股に分かれたＹ字の一端はプラズマ源Ｐに接続され、Ｙ字の他端はガス供給部７に接続され、プラズマ源Ｐから導入されるプラズマとガス供給部７から導入されるプラズマ状態にないガスとを、Ｙ字の交わる部分で一旦、混合して混合ガスとしてから、この混合ガスをプラズマ導入部３ｐから溶媒Ｗ内に導入するように形成されている。なお、混合ガスとしない場合には、ガス供給部７からのガスの供給を止めることで、プラズマ源Ｐから噴射されるプラズマのみをプラズマ導入部３ｐから溶媒Ｗ内に吹き込むようにすることができる。
【００５２】
なお、溶媒Ｗに対してプラズマ生成に起因する電流を流したくない場合には、第１の態様および第２の態様において説明したように、プラズマ導入部３とプラズマ源Ｐとの間に間隙を設ける、もしくは、プラズマ源Ｐにおいて、放電を発生させる電極の向きがプラズマ生成用ガスの流れ方向に対して平行に配置されている場合には、プラズマ生成用ガスの流れ方向における下流側の電極の電位が溶媒Ｗの電位と同電位（多くの場合には接地電位とすることが好ましい。）となるように形成することで溶媒Ｗに対して電流が流れることを抑制することができる。また、プラズマ源Ｐにおいて、放電を発生させる電極の向きをプラズマ生成用ガスの流れ方向に対して垂直に配置し、プラズマ生成用ガスの流れ方向に対して垂直に電位が生じるように形成することで溶媒Ｗへ電流が流れることを抑制することができる。さらに、プラズマ源Ｐとして大気圧誘導結合プラズマを用いることにより、磁束の変化によってプラズマを生成することにより、溶媒Ｗに対して電流が流れることを抑制することができる。なお、大気圧誘導結合プラズマを用いる場合には、誘導コイルとプラズマトーチとの間に、導電体からなる円環を配置し、寄生容量によるプラズマ電位の上昇を除去する機構を設けるとさらによい。
【００５３】
また、貯留部２のプラズマ導入部３ｐが形成されている部分には、それぞれ回転数が制御可能な回転体５を設けることができる。当該回転体５は溶媒Ｗ内において所定の回転数にて回転しており、プラズマ導入部３ｐから導入され、回転体５の近傍に生じたプラズマの気泡に対して溶媒Ｗとの相対運動によって剪断力を加えて、プラズマの気泡を強制的に分割してさらに微小な径の気泡とし、溶媒Ｗに対するプラズマの溶解度を向上させてることで、より殺菌・消毒効果の高いラジカル機能液を提供することができる。このとき、回転体５の回転数を制御することによって気泡の径を調整し、プラズマの溶解度を適宜調整することができる。
【００５４】
このような、ガス導入管３ａを第１の態様または第２の態様のラジカル機能液の製造装置１に適用することができる。なお、図３に示すラジカル機能液の製造装置１は、本実施形態におけるガス導入管３ａを第２の態様のラジカル機能液の製造装置１に適用した構成のものである。
【００５５】
図３に示している第３の態様のラジカル機能液の製造装置１においては、貯留部２の側壁の一部に第２のプラズマ状態にないガスを供給するためのガス導入部３ｇ２と、第２のプラズマ状態にないガスを供給する第２のガス供給部７２とが設けられており、当該第２のガス供給部７２とガス導入部３ｇ２との間には、第２のガス供給部７２から導入されるプラズマ状態にないガスと、貯留部２に設けられた溶媒取り込み口６ａから取り込んだ溶媒２とからマイクロバブルを発生させるマイクロバブル発生器６が設けられている。このマイクロバブル発生器６から発生したマイクロバブルは、ガス導入部３ｇ２を介して溶媒Ｗに対して溶解させるように形成されている。
【００５６】
第３の態様のラジカル機能液の製造装置１を用いた本発明のラジカル機能液の製造方法は下記の通りである。まず、プラズマ源Ｐに所望のプラズマ生成用ガスを導入し、当該プラズマ生成用ガスに放電することによりプラズマを生成する。当該プラズマをプラズマ生成用ガスのガス流によって噴射口から噴射してガス導入管３ａに導入するとともに、ガス供給部７から所望のプラズマ状態にないガスを導入して、ガス状のプラズマとプラズマ状態にないガスとの混合ガスとする。当該混合ガスをプラズマ導入部３ｐから貯留部２に対して導入し、貯留部２に貯留されている溶媒Ｗ内に当該混合ガスを気泡の状態で吹き込みながら混合ガス中の少なくともプラズマに起因するラジカルを当該溶媒Ｗに溶解させる。
【００５７】
同時に、マイクロバブル発生器６をＯＮの状態とし、第２のガス供給部７２からプラズマ状態にないガスを導入するとともに、溶媒取り込み口６ａから貯留部２内の溶媒Ｗを取り込んでマイクロバブルを発生させ、第２のガス導入部３ｇ２から当該マイクロバブルを導入して溶媒Ｗに対してマイクロバブルを溶解させる。
【００５８】
第３の態様におけるラジカル機能液の製造装置１を用いて製造されたラジカル機能液によれば、溶媒Ｗに接触させる前にガス状のプラズマとプラズマ状態にないガスとを混合して混合ガスとすることにより、プラズマと接触したプラズマ状態にないガスが電離して新たなラジカルが生じ、プラズマ中に含まれるラジカルだけでなく、プラズマ状態にないガスから生じたラジカルをも溶解して、洗浄、殺菌・消毒に有効なラジカルを多量に含むラジカル機能液を高速に大量に製造することができる。さらに、マイクロバブルが溶解されているので、ラジカルによる殺菌・消毒効果に加えて、マイクロバブルの吸着作用、マイクロバブルがはじける際に生じる超音波による衝撃波、および細部への侵入作用によって、非常に優れた洗浄力を有するラジカル機能液を提供することができる。
【００５９】
本発明のラジカル機能液の製造方法によって得られたラジカル機能液は、溶媒Ｗ中に多量のラジカルを含有しており、処理を施したい処理対象物に、塗布、噴霧、浸漬などを行うことによって、当該対象の表面の洗浄、殺菌・消毒を行うことができる。この他にも、その洗浄、殺菌効果によって、対象の消臭、親水化・撥水化処理なども行うことを可能とする。
【００６０】
本発明のラジカル機能液の製造方法は上記の態様に限定されるものではなく、例えば、公知の攪拌装置などを設けて、適宜、貯留部２内の溶媒Ｗを攪拌しながらラジカル機能液を製造するようにしてもよい。
【００６１】
また、本発明のラジカル機能液においては、それぞれ別々に製造された第１のラジカル機能液と第２のラジカル機能液とを混合することで、第３のラジカル機能液としたり、本発明のラジカル機能液に対して、薬品、洗剤、溶液、溶媒など様々な液体を混合したり、マイクロバブル水をさらに添加するなどして、上述の方法によって製造されたラジカル機能液にさらに特別な効果を付与するようにしてもよい。
【００６２】
また、上述のラジカル機能液の製造方法を溶媒Ｗに分散または浸漬された処理対象物の浄化に用いることにより高速な浄化を行うことができる。
【００６３】
本発明のラジカル機能液を用いた浄化方法は、処理対象物が分散または浸漬された溶媒に対して、少なくとも１種類のガス状のプラズマを含む２種類以上のガスを吹き込むことにより、少なくともプラズマ中のラジカルを溶解させて、溶媒をラジカル機能液とすることにより、当該ラジカルによって処理対象物を洗浄、殺菌・消毒するものである。
【００６４】
本発明のラジカル機能液を用いた洗浄方法においては、２種類以上のガスのうち、少なくとも１種類のプラズマ状態にないガスがマイクロバブルとされて溶解されており、処理対象物もしくは処理対象物に付着した汚れにマイクロバブルを吸着させて浮かせる、マイクロバブルがはじける際に生じる超音波によって処理対象物もしくは処理対象物に着した汚れを剥離・破壊させる、または、マイクロバブルが処理対象物の隙間に侵入して隙間にある汚れを浮かせるようにして処理対象物を浄化するようにして、溶媒中に溶解したラジカルだけでは容易に分解できない汚れも、マイクロバブルの働きによって処理対象物から浮かるもしくは破壊して剥がすことにより、当該汚れがラジカルと接触する面積を増大させて、高速に処理対象物の洗浄、殺菌・消毒を行ない浄化することを可能とする。
【００６５】
分散する処理対象物としては、細菌やウイルス、汚泥、塗装カスなどのように有機物が溶媒中に浮遊して存在するものが挙げられる。
【００６６】
浸漬させる処理対象物としては、食品、油添加を伴う加工前後のワーク、生活用品（お皿、メガネなど）、医療器具または生体などのように、溶媒Ｗに対する浮き沈みなどに関係なく、溶媒中へ浸漬できるものであればいかなるものでもよい。
【００６７】
このような、本発明のラジカル機能液を用いた浄化方法においては、図４に示すような浄化装置を用いて行うことができる。
【００６８】
ラジカル機能液を用いた浄化装置１０の第１の態様は、図４に示すように、溶媒Ｗを貯留しておく貯留部２と、貯留部２に貯められている溶媒Ｗを攪拌するための攪拌機１１と、貯留部２の側壁に設けられ溶媒Ｗに対して少なくとも１種類のガス状のプラズマを含む２種類以上のガスを吹き込むためのガス導入部３と、プラズマ生成用ガスに放電することによりプラズマを生成するプラズマ源Ｐと、貯留部２の内部に配置されたマイクロバブル発生器６と、マイクロバブル発生器に第２のプラズマ状態にないガスを供給する第２のガス供給部７２とを備えている。マイクロバブル発生器６は、公知のマイクロバブル発生措置を適用することができる。プラズマ源Ｐの噴射口とガス導入部３とはガス導入管３ａを介して接続されている。また、ガス導入管３ａは略Ｙ字状に形成されており、二股に分かれた一方の端部はプラズマ源Ｐの噴射口に接続され、他方の端部はプラズマ状態にないガスを供給するガス供給部７に接続されている。そして、プラズマ源Ｐから導入されたプラズマと、ガス供給部７から導入されたプラズマ状態にないガスとは、ガス導入管３ａのＹ字の交点部分において混合されて混合ガスとされ、当該混合ガスをガス導入部３から貯留部２に貯留された溶媒Ｗ内に吹き込むように形成されている。なお、溶媒Ｗに対してプラズマのみを導入する場合には、ガス供給部７からのプラズマ状態にないガスの供給を止めて、プラズマ源Ｐから噴射されるプラズマのみを吹き込むようにしてもよい。また、貯留部２には、内部に溶媒Ｗを流し込むための流入口１２ｉｎと、内部から溶媒Ｗを排出するための排出口１２ｏｕｔが設けられている。なお、排出口１２ｏｕｔからは、処理対象物Ｖが小さいものなど溶媒Ｗの流れによって移動させることができるものについては、溶媒Ｗの排出と同時に溶媒Ｗの流れによって貯留部２から排出可能に形成してもよい。
【００６９】
本実施形態の浄化装置１０を用いた本発明のラジカル機能液を用いた浄化方法は下記の通りである。なお、この浄化方法の説明においては、処理対象物を汚水中のウイルス・細菌（Ｖ）として説明する。まず、ウイルス・細菌（Ｖ）が浮遊する汚水を流入口１２ｉｎから貯留部２に所定の水位となるまで流入さるとともに、攪拌機１１を稼働させて汚水を攪拌する。同時に、プラズマ源Ｐに少なくとも１種類のプラズマ生成用ガスを導入してプラズマを発生させ、プラズマ源Ｐの噴射口から噴射されるプラズマをガス導入管３ａに導入しガス導入部３から貯留部２内に吹き込み、溶媒Ｗとしての水に対して、プラズマ中のラジカルを溶解させて当該水をラジカル機能水とする。このとき、水中に溶解したラジカルによって、水中に浮遊するウイルス・細菌（Ｖ）を分解して殺菌・消毒を行う。なお、溶媒Ｗに溶解させるガスは、少なくとも１種類のガス状のプラズマを含む２種類以上のガスとされていることが好ましく、例えば、２種類以上の物質からなるプラズマ、１種類以上のプラズマとプラズマ状態にないガスとの混合ガスなど浄化対象に応じて適宜選択することができる。
【００７０】
そして、ラジカルによってウイルス・細菌（Ｖ）を分解すると同時に、マイクロバブル発生器６を稼働させて溶媒Ｗ中にマイクロバブルを溶解させる。当該マイクロバブルは、図４に示すように、水中に浮遊するウイルス・細菌（Ｖ）などの有機物に付着する作用、マイクロバブルがはじける際に生じる超音波による剥離・破壊作用、または、処理対象物Ｖの細部に侵入する侵入作用があり、これらの汚れに付着して浮かせたり破壊することで溶媒Ｗとしての水から汚れを分離する。分離された汚れは掬ったり・漉して除去し、残った液体のみを排出口１２ｏｕｔから排出する。この作業を連続的に行うことで大量の汚水を処理することができる。なお、汚水にはウイルス・細菌だけでなくその他の有機物が含まれていることがほとんどであるが、本発明の浄化装置１０を用いた浄化処理によれば、当該有機物もマイクロバブルの有機物に対する吸着作用によって浮かせて凝集させることができるので、溶媒Ｗとしての水から容易に分離することができる。
【００７１】
本実施形態の浄化方法によれば、溶媒Ｗとしての水に浮遊する処理対象物としてのウイルス・細菌またはその他の有機物を浄化する場合には、当該溶媒Ｗとしての水を本発明のラジカル機能液の製造方法によってラジカル機能液とすることにより、溶解したラジカルによって水中に浮遊するウイルス・細菌の殺菌・消毒を行うとともに、マイクロバブルの作用によって死滅したウイルス・細菌、その他の有機物を剥離・破壊し、吸着して水面に浮かせて溶媒から分離するようにされているので、高速に大量の汚水の浄化を行うことを可能とする。
【００７２】
また、本実施形態の浄化方法によれば、例えば、溶媒Ｗとしての水に浸漬された所定の大きさを有する物体からなる処理対象物を浄化する場合には、当該溶媒Ｗとしての水を本発明のラジカル機能液の製造方法によってラジカル機能液とすることにより、ラジカルによる殺菌・消毒効果と、マイクロバブルの剥離・破壊および吸着作用による洗浄効果との相乗効果で高速に物体の浄化を行うことを可能とする。
【００７３】
さらに、下記の１〜４の構成を採用したラジカル機能液製造装置を用いることにより、プラズマ源Ｐに起因する電流が溶媒Ｗに流れることがないので、通電に弱い処理対象物の浄化を行うことを可能とする。さらには、例えば、食器や食品の洗浄を行うに当たり、ラジカル機能液製造装置の溶媒中に手を直接入れて食器や食品を洗うような作業を行っても、本実施形態のラジカル機能液製造装置においては、溶媒Ｗに対してプラズマ源Ｐに起因する人体に損傷を与える恐れのある強い電流が流れることがないので、食器や食品の洗浄作業を安全に行うことを可能とする。
１．プラズマ導入部３ｐとプラズマ源Ｐとの間に間隙を設ける
２．プラズマ源Ｐにおいて、放電を発生させる電極の向きがプラズマ生成用ガスの流れ方向に対して平行に配置されている場合には、プラズマ生成用ガスの流れ方向における下流側の電極の電位が溶媒Ｗの電位と同電位（多くの場合には接地電位とすることが好ましい。）となるように形成する
３．プラズマ源Ｐにおいて、放電を発生させる電極の向きをプラズマ生成用ガスの流れ方向に対して垂直に配置し、プラズマ生成用ガスの流れ方向に対して垂直に電位が生じるように形成する
４．プラズマ源Ｐとして大気圧誘導結合プラズマを用いて、磁束の変化によってプラズマを生成する。なお、誘導コイルとプラズマトーチとの間に、導電体からなる円環を配置し、寄生容量によるプラズマ電位の上昇を除去する機構を設けるとさらによい。
【００７４】
またさらに、第２のガス供給部７２から供給するプラズマ状態にないガスを適宜選択することによって、ラジカルの溶解で偏った溶媒ＷのｐＨ値を適正に調整したり、溶媒Ｗをラジカルが長時間維持されるのに適正な環境とすることで、高速な処理対象物の洗浄、殺菌・消毒を可能とする。
【００７５】
＜実施例＞
実施例においては、本発明のラジカル機能液製造装置を用いた汚水の浄化について検討する。
【００７６】
具体的には、６リットルの水に黄色ブドウ球菌を懸濁し、空気をプラズマ生成用ガスとして生成したプラズマを当該水中に１８Ｌ／ｍｉｎにてバブリングし、さらに、空気１８Ｌ／ｍｉｎの流量にてマイクロバブルを溶解させて、バブリング開始から０分、１分、５分、１０分および３０分の時のサンプルを１ｃｃ採取し、各バブリング時間における黄色ブドウ球菌の残存菌数の測定を行った。得られた測定結果を図５に示す。
【００７７】
図５に示すように、バブリング０分では１ｃｃ中に１．０×１０６個であった菌数が、バブリング１分のサンプル中には１．０×１００個まで減少した。これは、溶媒Ｗとしての水がプラズマのバブリングによってラジカル機能液とされたことによって、当該ラジカルによって黄色ブドウ球菌が殺菌されたためであると考えられる。そして、本実施例から、本発明のラジカル機能液の製造方法を汚水の浄化に適用することにより、６リットルという多量の汚水を１分程度という極めて短時間で殺菌し、浄化することが可能であることが明らかとなった。
【００７８】
本発明のラジカル機能液の製造方法およびラジカル機能液を用いた浄化方法は、上記の実施形態および実施例に限定されるものではなく発明の特徴を損なわない範囲において種々の変更が可能であり、例えば、貯留部２にプラズマ導入部３ｐおよびガス導入部３ｇを複数設ける構成としたり、プラズマ導入部３ｐを設けずに、溶媒Ｗ内において直接プラズマを生成して、溶媒Ｗにプラズマに起因するラジカルを溶解させるようにしてもよい。
【符号の説明】
【００７９】
１  ラジカル機能液製造装置
２  貯留部
３ｐ，３ｐ１，３ｐ２  プラズマ導入部
３ｇ  ガス導入部
３ａ  ガス導入管
４  仕切り板
４ａ  通気口
５  回転体
６  マイクロバブル発生器
６ａ  溶媒取り込み口
７、７２  ガス供給部
１０  浄化装置
１１  攪拌機
１２ｉｎ  流入口
１２ｏｕｔ  排出口
Ｗ  溶媒
Ｐ  プラズマ源
プラズマ炎
導入管
間隙
Ｖ，Ｖ’  処理対象物（ウイルス・細菌）
【図１】
2016203082.tif 000003
【図２】
2016203082.tif 000004
【図３】
2016203082.tif 000005
【図４】
2016203082.tif 000006
【図５】
2016203082.tif 000007